(57)【要約】      （修正有）【課題】良好なクリック感を得ることが出来るカード用コネクタを提供する。【解決手段】ハウジングと、前記ハウジングに保持されるコンタクトと、前記ハウジングを覆って、移動空間を形成するシェルと、前記移動空間内に移動できるトレイ４０と、前記ハウジングの一側に配置され、前記トレイ４０を前記移動空間からイジェクトできるイジェクト機構とを含むカード用コネクタにおいて、前記シェルは、天板と、前記天板の側縁から延出する側板とを含み、前記側板に、前記移動空間に突出する弾性アームが形成され、前記トレイ４０の移動空間に挿入する方向に沿って、前記トレイ４０の両側縁に、前記シェルの弾性アームに係合できる係合口４１０と、凸部４１１と、凹溝４１５とが順に設けられ、前記凸部４１１の前記凹溝４１５に隣接する一側に、ガイド面が傾斜するように形成されることを特徴とする。【選択図】図５
0003176438.tif 000002
【実用新案登録請求の範囲】
【請求項１】
ハウジングと、
前記ハウジングに保持されるコンタクトと、
前記ハウジングを覆って、移動空間を形成するシェルと、
前記移動空間内に移動できるトレイと、
前記ハウジングの一側に配置され、前記トレイを前記移動空間からイジェクトするイジェクト機構と
を含むカード用コネクタにおいて、
前記シェルは、天板と、前記天板の側縁から延出する側板と、を含み、前記側板に、前記移動空間に突出する弾性アームが形成され、
前記トレイの移動空間に挿入する方向に沿って、前記トレイの両側縁に、前記シェルの弾性アームに係合する係合口と、凸部と、凹溝とが順に設けられ、
前記凸部の前記凹溝に隣接する一側に、ガイド面が傾斜するように形成されることを特徴とするカード用コネクタ。
【請求項２】
前記ガイド面と前記トレイの挿入方向との間の角度は、１５〜４５度であることを特徴とする請求項１に記載のカード用コネクタ。
【請求項３】
前記凸部の前記係合口に隣接する一側に、案内面が傾斜するように形成されることを特徴とする請求項１又は請求項２に記載のカード用コネクタ。
【請求項４】
前記凹溝の、トレイの奥側の端部に隣接する一側に、当接斜面が傾斜するように設けられることを特徴とする請求項１乃至３のいずれかの１項に記載のカード用コネクタ。
【請求項５】
前記弾性アームは、前記トレイのイジェクトする方向へ向かって延出するように設けられ、自由端に、前記移動空間に突出する圧接部が設けられることを特徴とする請求項１乃至４のいずれかの１項に記載のカード用コネクタ。
【請求項６】
前記イジェクト機構は、レバーと、作動部材とを含み、
前記作動部材は、軸部と、軸部の一側の、前記レバーに接触する受け部と、前記軸部の他側のイジェクト部と、を含むことを特徴とする請求項１乃至５のいずれか１項に記載のカード用コネクタ。
【請求項７】
前記ハウジングと前記シェルとの両方の少なくともの一方に、前記軸部を回転可能に保持する保持孔が形成されることを特徴とする請求項６に記載のカード用コネクタ。
【請求項８】
前記ハウジングの後端壁には、前記軸部に当接する弧状溝が形成されることを特徴とする請求項６又は請求項７に記載のカード用コネクタ。
【考案の詳細な説明】
【技術分野】
【０００１】
本考案はカード用コネクタに関し、特に、カードをトレイに収容してコネクタに着脱するトレイタイプのカード用コネクタの構造に関する。
【背景技術】
【０００２】
近年では、携帯電話に用いられるカードとして、ＳＩＭ（Ｓｕｂｓｃｒｉｂｅｒ  Ｉｄｅｎｔｉｔｙ  Ｍｏｄｕｌｅ：加入者認証モジュール）カードが普及している。ＳＩＭカードは、携帯電話から取り外し可能なカードであって、通信事業者との契約情報などが記録されている。したがって、ＳＩＭカードを他の製造会社の携帯電話に装着することで、通信事業者の加入者であることが認証され、この携帯電話を使用できる。
【０００３】
特許文献１によるカード用コネクタは、カードを収容できるトレイ、このトレイが移動可能な空間を有するハウジング、及びこのハウジングに設けられた複数のコンタクトを備えている。そして、特許文献１によるカード用コネクタは、カードをトレイに収容して、トレイを前記ハウジングの移動空間に推進すると、カードの導電パッドがコンタクトに電気的に接続する。
【先行技術文献】
【特許文献】
【０００４】
【特許文献１】中国実用新案出願第２０１０１０５５２７７０．９号明細書
【考案の概要】
【考案が解決しようとする課題】
【０００５】
しかしながら、特許文献１において、トレイはクリック感を生起させることができる構造を備えていないので、トレイが移動空間に挿入・離脱する過程において、操作者が良好なクリック感を得ることが出来ない。
【０００６】
本考案は、このような問題に鑑みてなされたものであり、良好なクリック感を得ることが出来るカード用コネクタを提供することを目的とする。
【課題を解決するための手段】
【０００７】
本考案は、ハウジングと、前記ハウジングに保持されるコンタクトと、前記ハウジングを覆って移動空間を形成するシェルと、前記移動空間内に移動できるトレイと、前記ハウジングの一側に配置され、前記トレイを前記移動空間からイジェクトできるイジェクト機構と、を含むカード用コネクタにおいて、前記シェルは、天板と、前記天板の側縁から延出する側板とを含み、前記側板に、前記移動空間に突出する弾性アームが形成され、前記トレイの移動空間に挿入する方向に沿って、前記トレイの両側縁に、前記シェルの弾性アームに係合できる係合口と、凸部と、凹溝とが順に設けられ、前記凸部の前記凹溝に隣接する一側に、ガイド面が傾斜するように形成されることを特徴とする。
【考案の効果】
【０００８】
従来技術に比べ、本考案のカード用コネクタは以下の利点を有する。即ち、トレイに形成される凸部と、凸部の一側に配置されるガイド面とにより、トレイの挿入・イジェクトをする際に、操作者が強いクリック感、手応えを得ることができる。
【図面の簡単な説明】
【０００９】
【図１】本考案に係るカード用コネクタの組立斜視図である。
【図２】本考案に係るカード用コネクタの、シェルと絶縁本体とを外した部分の組立斜視図である。
【図３】本考案に係るカード用コネクタの分解斜視図である。
【図４】本考案に係るカード用コネクタのイジェクト機構の作動部材の斜視図である。
【図５】本考案に係るカード用コネクタのトレイの平面図である。
【図６】本考案に係るカード用コネクタの移動空間に挿入されたトレイとシェルとの状態図である。
【図７】本考案に係るカード用コネクタのトレイの挿入初期における、トレイとシェルとの状態図である。
【図８】本考案に係るカード用コネクタのトレイのイジェクト初期における、トレイとシェルとの状態図である。
【考案を実施するための形態】
【００１０】
以下、図１〜図８を参照しながら、本考案のカード用コネクタ１００の実施形態について、添付図面を参照して説明する。カード用コネクタ１００は、ハウジング１０と、ハウジング１０に装着されるコンタクト３０と、ハウジング１０の上方を覆う、金属板で製作されたシェル２０と、カードを収容するトレイ４０と、ハウジング１０の一側に配置され、トレイ４０をイジェクトするためのイジェクト機構５０とを含み、前記ハウジング１０とシェル２０とはトレイ４０の移動空間６０を構成できる。
【００１１】
前記ハウジング１０は、主体部１１と、主体部１１の両側に形成された側壁１２と、主体部１１に直交するトレイ４０の挿入方向の奥側での後端壁１７とを含み、前記コンタクト３０は主体部１１に保持される。前記側壁１２の中央に当接リブ１５が形成され、該当接リブ１５は、トレイの挿入口に面した一側面に傾斜面１５１が設けられ、該傾斜面１５１の自由端と側壁１２との間に、開口１４が形成される。前記ハウジング１０の他方側において、側壁１２の外側に移動溝１６が形成される。前記後端壁１７に、移動空間６０に面した弧状溝１８が設けられ、ハウジング１０の主体部１１の弧状溝１８に対応する箇所に、保持孔１９が形成される。
【００１２】
前記シェル２０は、ハウジング１０を覆い、天板２１と天板２１の両側縁から延出する側板２２とを含み、天板２１には前記ハウジング１０の保持孔１９に対応する固持孔２５が形成され、側板２２がハウジング１０の側壁１２に係合している。前記側板２２の中央部には、前記トレイ４０のイジェクトする方向へ向かって延出する弾性アーム２４が形成され、弾性アーム２４の末端には圧接部２４２が折り曲げて形成される。該弾性アーム２４がハウジング１０の当接リブ１５の傾斜面１５１に沿って延出して、その圧接部２４２が開口１４を介して移動空間６０に突出している。
【００１３】
イジェクト機構５０は、ハウジング１０の移動溝１６にスライドできるレバー５２と、ハウジング１０の奥側での作動部材５１とを含む。レバー５２は、操作部５２２と、作動部材５１に当接する当接部５２１と、操作部５２２及び当接部５２１を連接する直線状の連接部５２３とを含み、前記操作部５２２と当接部５２１とは折曲げるように形成される。作動部材５１は、軸部５１０と、軸部５１０の両端からそれぞれ延出する受け部５１２とイジェクト部５１１とを含む。軸部５１０の上端がシェル２０の固持孔２５に回転可能に固持され、下端がハウジング１０の保持孔１９に回転可能に保持される。作動部材５１は、移動空間６０に面する内側面が弧形状を呈する。軸部５１０の外側面に、ハウジング１０の弧状溝１８に対応する弧状凸部５１４が形成される。イジェクト機構５０の作動部材５１は、前記軸部５１０により回転でき、弧状凸部５１４が弧状溝１８に回転可能に係合することにより、作動部材５１の回転する際の支持力を提供できる。
【００１４】
以下、イジェクト機構５０の作動原理を簡単に説明する。トレイ４０が移動空間６０に挿入される際、トレイ４０の奥側の端部が作動部材５１のイジェクト部５１１に当接して、軸部５１０の回転によりイジェクト部５１１がハウジング１０の後端壁１７の内側面に当接され、トレイ４０が予定の位置まで挿入される。トレイ４０を移動空間６０からイジェクトする際に、トレイ４０の挿入方向に沿ってレバー５２の操作部５２２を押圧し、作動部材５１の受け部５１２がレバー５２の押圧力を受けてから軸部５１０の回転によりハウジング１０の後端壁１７の内側面に貼付けられる際に、イジェクト部５１１が移動空間６０に回転して突出し、トレイ４０を移動空間６０からイジェクトさせる。
【００１５】
図３乃至図８を参照すると、トレイ４０は、カードの外形より僅かに大きい輪郭を形成し、枠部４１と、枠部４１の一端での蓋部４２とを含む。トレイ４０は、枠部４１に、カードの板厚より僅かに深い収容凹部４５を有し、収容凹部４５の底壁にカードの導電パッドを露出するための中空部４４が貫通するように形成される。トレイ４０の挿入方向に沿って、枠部４１の両側に、シェル２０の弾性アーム２４に係合するための係合口４１０と、凸部４１１と、凹溝４１５が順に設けられる。
【００１６】
図５及び図６を参照すると、係合口４１０の、凸部４１１に隣接する一側に、傾斜状のガイド面４１２が形成され、ガイド面４１２により弾性アーム２４の圧接部２４２を係合口４１０までガイドすることができる。凸部４１１の凹溝４１５に隣接する一側部に、案内面４１３が傾斜するように形成され、トレイ４０をイジェクトする際に、前記シェル２０の弾性アーム２４を案内面４１３に当接させることよって、トレイ４０のイジェクトされる力を増加させるとともに、操作者が強いクリック感、手応えを得ることができる。また、凸部４１１によって、トレイ４０を挿入する際に、弾性アーム２４が凸部４１１を越えて係合口４１０に係合することに伴うクリック感を生起させ、操作者がトレイ４０を所定の位置まで挿入したことを知らせる。トレイ４０をイジェクトする際に、弾性アーム２４が凸部４１１を越えて凹溝４１５に当接することに伴うクリック感を生起させ、操作者がトレイ４０をイジェクトしたことを知らせる。好ましい実施状態において、前記案内面４１３の角度は、トレイ４０の挿入方向に対して１５度〜４５度でもいい。
【００１７】
図５及び図８を参照すると、前記凹溝４１５は、トレイ４０の奥側の端部へ向かって当接斜面４１４を有し、該当接斜面４１４の延出する長さは案内面４１３より長く、トレイ４０をイジェクトする際に、当接斜面４１４が弾性アーム２４に当接することにより、トレイ４０の異常な飛び出しを抑えることができる。
【００１８】
カード用コネクタ１００は、作動部材５１の軸部５１０がハウジング１０の後端壁１７に当接することにより、軸部５１０が回転する際の支持力を提供できる。トレイ４０に形成される凸部４１１と、凸部４１１の両側にそれぞれ配置されるガイド面４１２及び案内面４１３とにより、トレイ４０を挿入・イジェクトする際に、操作者が強いクリック感、手応えを得ることができる。また、トレイ４０の後端での当接斜面４１４により、トレイ４０の異常な飛び出しを抑えることができる。
【００１９】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２０】
１００  カード用コネクタ
１０  ハウジング
１８  弧状溝
１９  保持孔
２０  シェル
２４  弾性アーム
２５  固持孔
３０  コンタクト
４０  トレイ
４１  枠部
４２  蓋部
４４  中空部
４５  収容凹部
４１０  係合口
４１１  凸部
４１２  ガイド面
４１３  案内面
４１４  当接斜面
４１５  凹溝
５０  イジェクト機構
５１  作動部材
５１０  軸部
５１１  イジェクト部
５１２  受け部
５１４  弧状凸部
５２  レバー
６０  移動空間
【図１】
0003176438.tif 000003
【図２】
0003176438.tif 000004
【図３】
0003176438.tif 000005
【図４】
0003176438.tif 000006
【図５】
0003176438.tif 000007
【図６】
0003176438.tif 000008
【図７】
0003176438.tif 000009
【図８】
0003176438.tif 000010